(57)【要約】【課題】利便性の向上を図ることができる冷蔵庫を提供することである。【解決手段】実施形態の冷蔵庫は、筐体と、扉と、内部部品とを持つ。前記筐体は、貯蔵室を含む。前記扉は、前記貯蔵室を開閉可能に閉じる。前記内部部品は、前記筐体内に配置されている。前記筐体と、前記扉と、前記内部部品とのうち少なくとも１つの少なくとも一部は、エアロゲル、キセロゲル、またはクライオゲルを含む光透過性断熱材で形成されている。【選択図】図１
2020109338.tif 000002
【特許請求の範囲】
【請求項１】
貯蔵室を含む筐体と、
前記貯蔵室を開閉可能に閉じる扉と、
前記筐体内に配置された内部部品と、
を備え、
前記筐体と、前記扉と、前記内部部品とのうち少なくとも１つの少なくとも一部は、エアロゲル、キセロゲル、またはクライオゲルを含む光透過性断熱材で形成されている、
冷蔵庫。
【請求項２】
前記扉は、前記冷蔵庫の外部から前記貯蔵室の内部を視認可能な窓部を有し、
前記窓部の少なくとも一部は、前記光透過性断熱材で形成されている、
請求項１に記載の冷蔵庫。
【請求項３】
前記貯蔵室内を照らす発光部をさらに備え、
前記内部部品は、前記発光部を覆う照明カバーであり、
前記照明カバーの少なくとも一部は、前記光透過性断熱材で形成されている、
請求項１または請求項２に記載の冷蔵庫。
【請求項４】
前記筐体は、前記貯蔵室を含む複数の貯蔵室と、前記複数の貯蔵室の間に設けられた仕切り部とを有し、
前記仕切り部の少なくとも一部は、前記光透過性断熱材で形成されている、
請求項１から請求項３のうちいずれか１項に記載に記載の冷蔵庫。
【請求項５】
前記内部部品は、前記貯蔵室の内部を、第１貯蔵部と、前記第１貯蔵部よりも低い温度帯に冷却される第２貯蔵部とに区画する区画部材であり、
前記区画部材の少なくとも一部は、前記光透過性断熱材で形成されている、
請求項１から請求項４のいずれか１項に記載に記載の冷蔵庫。
【請求項６】
前記第２貯蔵部は、前記第１貯蔵部の少なくとも一部の下方に設けられ、
前記区画部材は、前記第１貯蔵部と前記第２貯蔵部との間に位置し、前記第２貯蔵部の天井部を形成した天井板部を含み、
前記天井板部の少なくとも一部は、前記光透過性断熱材で形成されている、
請求項５に記載の冷蔵庫。
【請求項７】
前記区画部材は、前記第２貯蔵部の前側に位置し、前記第２貯蔵部を開閉可能に閉じる蓋を含み、
前記蓋の少なくとも一部は、前記光透過性断熱材で形成されている、
請求項５または請求項６に記載の冷蔵庫。
【請求項８】
前記第２貯蔵部に配置された複数のトレイであって、第１トレイと、前記第１トレイの上方に配置された第２トレイとを含む複数のトレイをさらに備え、
前記第２トレイの底部の少なくとも一部は、前記光透過性断熱材で形成されている、
請求項５から請求項７のうちいずれか１項に記載の冷蔵庫。
【請求項９】
前記第２貯蔵部の側方に配置され、製氷用の水が貯蔵される貯水容器をさらに備え、
前記区画部材は、前記貯水容器と前記第２貯蔵部との間に配置された側板を有し、
前記側板の少なくとも一部は、前記光透過性断熱材で形成されている、
請求項５から請求項８のうちいずれか１項に記載の冷蔵庫。
【請求項１０】
前記貯蔵室の内部を、第１貯蔵部と、前記第１貯蔵部よりも低い温度帯に冷却される第２貯蔵部とに区画する区画部材をさらに備え、
前記内部部品は、前記第２貯蔵部の側方に配置され、製氷用の水が貯蔵される貯水容器であり、
前記貯水容器の少なくとも一部は、前記光透過性断熱材で形成されている、
請求項１から請求項９のうちいずれか１項に記載の冷蔵庫。
【請求項１１】
前記筐体内に配置され、前記貯蔵室内に冷気を流入させる冷気流入口を有した筐体内構造部品をさらに備え、
前記内部部品は、複数の壁部を有して食材が収容される容器であり、
前記容器の複数の壁部のなかで前記冷気流入口に最も近い壁部の少なくとも一部は、前記光透過性断熱材で形成されている、
請求項１から請求項１０のうちいずれか１項に記載の冷蔵庫。
【発明の詳細な説明】
【技術分野】
【０００１】
本発明の実施形態は、冷蔵庫に関する。
【背景技術】
【０００２】
貯蔵室を含む筐体と、前記貯蔵室を開閉可能に閉じる扉と、前記筐体内に配置された内部部品とを備えた冷蔵庫が知られている。このような冷蔵庫は、さらなる利便性の向上が期待されている。
【先行技術文献】
【特許文献】
【０００３】
【特許文献１】特開２００４−３４０４２０号公報
【発明の概要】
【発明が解決しようとする課題】
【０００４】
本発明が解決しようとする課題は、利便性の向上を図ることができる冷蔵庫を提供することである。
【課題を解決するための手段】
【０００５】
実施形態の冷蔵庫は、筐体と、扉と、内部部品とを持つ。前記筐体は、貯蔵室を含む。前記扉は、前記貯蔵室を開閉可能に閉じる。前記内部部品は、前記筐体内に配置されている。前記筐体と、前記扉と、前記内部部品とのうち少なくとも１つの少なくとも一部は、エアロゲル、キセロゲル、またはクライオゲルを含む光透過性断熱材で形成されている。
【図面の簡単な説明】
【０００６】
【図１】第１の実施形態の冷蔵庫を示す正面図。
【図２】図１中に示された冷蔵庫のＦ２−Ｆ２線に沿う断面図。
【図３】第１の実施形態の冷蔵庫の概略構成を示す斜視図。
【図４】第１の実施形態の扉の裏面を示す背面図。
【図５】図１中に示された右冷蔵室扉のＦ５−Ｆ５線に沿う断面図。
【図６】第１の実施形態の第１変形例の右冷蔵室扉を示す断面図。
【図７】第１の実施形態の第２変形例の右冷蔵室扉を示す断面図。
【図８】第２の実施形態の冷蔵庫の照明部を示す断面図。
【図９】第３の実施形態の冷蔵庫を示す断面図。
【図１０】第３の実施形態の第１仕切壁の第１仕切壁上部部材を下方から見た下面図。
【図１１】第３の実施形態の変形例の冷蔵庫を示す断面図。
【図１２】第４の実施形態の冷蔵庫を示す断面図。
【図１３】第４の実施形態の変形例の冷蔵庫を示す断面図。
【図１４】第５の実施形態の冷蔵庫を示す断面図。
【図１５】第６の実施形態の冷蔵庫を示す断面図。
【図１６】第７の実施形態の冷蔵庫を示す断面図。
【図１７】第８の実施形態の冷蔵庫を示す断面図。
【図１８】第９の実施形態の冷蔵庫を示す断面図。
【発明を実施するための形態】
【０００７】
以下、実施形態の冷蔵庫を、図面を参照して説明する。以下の説明では、同一または類似の機能を有する構成に同一の符号を付す。そして、それら構成の重複する説明は省略する場合がある。本明細書では、冷蔵庫の正面に立つユーザから冷蔵庫を見た方向を基準に、左右を定義している。また、冷蔵庫から見て冷蔵庫の正面に立つユーザに近い側を「前」、遠い側を「後ろ」と定義している。本明細書において「横幅方向」とは、上記定義における左右方向を意味する。本明細書において「奥行方向」とは、上記定義における前後方向を意味する。本明細書において「光透過性を持つ」とは、少なくとも光の一部を透過させる性質があればよく、透明でもよく、半透明でもよい。
【０００８】
（第１の実施形態）
図１は、第１の実施形態の冷蔵庫１を示す正面図である。図２は、図１中に示された冷蔵庫１のＦ２−Ｆ２線に沿う断面図である。図３は、第１の実施形態の冷蔵庫１の概略構成を示す斜視図である。冷蔵庫１は、例えば、筐体１０、複数の扉２０（２１〜２６）、複数の棚３０（３１〜３３）、複数の容器４０（４１〜４７）、圧縮器５０、第１冷却機構６０、および第２冷却機構７０を有する。後述するように、右冷蔵室扉２２は、ユーザが冷蔵庫１の外部から冷蔵室８１の内部を視認可能な窓部１１２を備える。窓部１１２は、後述するように、特定断熱材２０９を有する。
【０００９】
筐体１０は、例えば、外箱と、内箱と、外箱と内箱との間に充填された断熱材とを有し、断熱性を持つ。断熱材は、例えば発泡ウレタンのような発泡断熱材である。筐体１０は、天井壁１１、底壁１２、後壁１３、左側壁１４、および右側壁１５を有する。
【００１０】
筐体１０の内部には、複数の貯蔵室８０が設けられている。複数の貯蔵室８０は、例えば、冷蔵室８１、野菜室８２、製氷室８３（図３参照）、小冷凍室８４、および主冷凍室８５を含む。第１の実施形態では、最上部に冷蔵室８１が配置され、冷蔵室８１の下方に野菜室８２が配置され、野菜室８２の下方に製氷室８３および小冷凍室８４が配置され、製氷室８３および小冷凍室８４の下方に主冷凍室８５が配置されている。ただし、貯蔵室８０の配置は、上記例に限定されず、例えば野菜室８２と主冷凍室８５の配置が逆でもよい。筐体１０は、各貯蔵室８０の前面側に、各貯蔵室８０に対して食材の出し入れを可能にする開口を有する。
【００１１】
複数の扉２０（２１〜２６）は、冷凍室８１を開閉可能に閉じる左冷蔵室扉２１、右冷蔵室扉２２と、野菜室８２を開閉可能に閉じる野菜室扉２３、製氷室８３を開閉可能に閉じる製氷室扉２４、小冷凍室８４を開閉可能に閉じる小冷凍室扉２５、および主冷凍室８５を開閉可能に閉じる主冷凍室扉２６を含む。
【００１２】
筐体１０は、第１仕切壁９１と、第２仕切壁９５とを有する。第１仕切壁９１は、略水平方向に沿って設けられた仕切壁である。第１仕切壁９１は、冷蔵室８１と野菜室８２との間に設けられ、冷蔵室８１と野菜室８２との間を仕切っている。一方で、第２仕切壁９５は、略水平方向に沿って設けられた断熱仕切壁である。第２仕切壁９５は、野菜室８２と、製氷室８３および小冷凍室８４との間に設けられ、野菜室８２と、製氷室８３および小冷凍室８４との間を仕切っている。
【００１３】
第１仕切壁９１は、奥行方向の手前側に１つ以上の前側通気口９４ｃを有する。前側通気口９４ｃは、第１仕切壁９１を貫通する貫通穴であり、前側通気口９４ｃによって、冷蔵室８１と野菜室８２とが連通する。また、第１仕切壁９１は、奥行方向の奥側の１つ以上の角部が、切欠状に形成されて後側通気口９４ｂを構成する。後側通気口９４ｂは、第１仕切壁９１を貫通する貫通穴であり、後側通気口９４ｂによって、冷蔵室８１と野菜室８２とが連通する。第１仕切壁９１は、前側通気口９４ｃと後側通気口９４ｂのうち、少なくともどちらか一方を備えればよい。
【００１４】
冷蔵室８１には、通常冷蔵室８１ａと、製氷用給水タンク室８１ｂと、チルド室８１ｃとが設けられている。製氷用給水タンク室８１ｂとチルド室８１ｃとは、冷蔵室８１内における最下部（第１仕切壁９１の上部）に設けられている。言い換えると、製氷用給水タンク室８１ｂとチルド室８１ｃとは、通常冷蔵室８１ａの少なくとも一部の下方に設けられている。例えば、ユーザから見て、左側に製氷用給水タンク室８１ｂが位置し、右側にチルド室８１ｃが位置する。
【００１５】
通常冷蔵室８１ａと、チルド室８１ｃとの間、および、通常冷蔵室８１ａと、製氷用給水タンク室８１ｂとの間は、略水平方向に沿って設けられたチルド室上面仕切部９６によって互いに仕切られる。製氷用給水タンク室８１ｂとチルド室８１ｃとは、略垂直方向に沿って設けられた製氷用給水タンク室仕切壁９７（図３および図１６参照）によって互いに仕切られている。通常冷蔵室８１ａおよび製氷用給水タンク室８１ｂは、「第１貯蔵部」の一例である。チルド室８１ｃは、「第２貯蔵部」の一例である。本実施形態では、チルド室上面仕切部９６と製氷用給水タンク室仕切壁９７とによって、冷蔵室８１の内部を第1貯蔵部と第２貯蔵部とに区画する「区画部材」の一例が構成される。
【００１６】
冷蔵室８１ａおよび野菜室８２は、いずれも冷蔵温度帯（例えば１〜５℃）に保たれる。冷蔵温度帯（例えば１〜５℃）は、例えば、第１貯蔵部の温度の一例である。チルド室８１ｃは、チルド温度帯（例えば０〜１℃）に保たれる。チルド温度帯（例えば０〜１℃）は、例えば、第２貯蔵部の温度の一例である。つまり、第２貯蔵部（チルド室８１ｃ）は、第１貯蔵部（冷蔵室８１ａおよび野菜室８２）よりも低い温度帯に冷却される。
【００１７】
製氷用の水が貯蔵される製氷用給水タンク５１０は、製氷用給水タンク室８１ｂに配置され、チルド室８１ｃの側方に配置されている。製氷用給水タンク室８１ｂの後方には、図示しない水受け容器が設置されている。製氷用給水タンク室８１ｂと水受け容器との間には、製氷用給水タンク室８１ｂの製氷用給水タンク５１０（図１６参照）の水を水受け容器へ供給するための給水機構が設けられている。給水機構は、例えばポンプの動作によって製氷用給水タンク５１０内の水を汲み上げ、汲み上げた水を給水パイプにより水受け容器に供給する。水受け容器に供給された水は、別の給水パイプを介して、製氷室８３の不図示の自動製氷装置の製氷皿へ供給される。製氷用給水タンク５１０は、「貯水容器」の一例である。
【００１８】
複数の棚３０は、冷蔵室８１に設けられている。一方で、複数の容器４０は、冷蔵室８１のチルド室８１ｃに設けられたチルドケース４１、野菜室８２に設けられた第１および第２の野菜室容器４２，４３、製氷室８３に設けられた製氷室容器４４（図３参照）、小冷凍室８４に設けられた小冷凍室容器４５、主冷凍室８５に設けられた第１および第２の主冷凍室容器４６，４７を有する。
【００１９】
第１冷却機構６０（冷蔵温度帯の冷却機構）は、例えば、送風ダクト３７、冷気供給ダクト３８、冷蔵用冷却器室６１、冷蔵用冷却器６２、冷蔵用送風ファン６４、およびチルド用冷気供給口６５を含む。野菜室８２の後方には、冷蔵用送風ファン６４が配設されているとともに、冷蔵室吸込口３６および送風ダクト３７が設けられている。冷蔵用送風ファン６４は、冷蔵用冷却器６２に風を送る。なお本明細書において「冷却器に風を送る」とは、空気の流れ方向で冷却器の上流側に配置され、冷却器に向けて風を送る場合に限定されず、空気の流れ方向で冷却器の下流側に配置され、周囲の空気をさらに下流側に送ることで、前記冷却器の上流側に位置する空気を前記冷却器に向けて移動させる場合も含む。送風ダクト３７は、冷蔵用冷却器室６１に連通している。冷蔵室吸込口３６は、例えば野菜室４に開口している。
【００２０】
この構成において、冷蔵用送風ファン６４が駆動されると、野菜室８２内の空気が冷蔵室吸込口３６から冷蔵用送風ファン６４側に吸い込まれ、その吸い込まれた空気は、送風ダクト３７側へ吹き出される。送風ダクト３７側へ吹き出された空気は、冷蔵用冷却器室６１に接触して熱交換が行われ、冷却される。冷却された空気（冷気）は、冷気供給ダクト３８を通り、複数の冷蔵用冷気供給口３８ａから通常冷蔵室８１ａに吹き出され、また、チルド用冷気供給口６５からチルド室８１ｃに噴き出される。通常冷蔵室８１ａとチルド室８１ｃに流入した冷気は、前側通気口９４ｃと後側通気口９４ｂを通じて、野菜室８２に流れ、最終的に冷蔵用送風ファン６４に吸い込まれるという循環が行われる。
【００２１】
この過程で、冷蔵用冷却器室６１内を通る空気が冷蔵用冷却器６２によって冷却されて冷気となり、冷気が通常冷蔵室８１ａに供給されることによって、通常冷蔵室８１ａが冷蔵温度帯の温度に冷却され、冷気がチルド室８１ｃに供給されることによって、チルド室８１ｃがチルド温度帯の温度に冷却される。尚、チルド室８１ｃは、通常冷蔵室８１ａや野菜室８２よりも、冷蔵用冷却器室６１に近い位置にあるため、チルド室８１ｃは、冷蔵温度帯（例えば１〜５℃）よりも低温であるチルド温度帯（例えば０〜１℃）に保たれる。
【００２２】
第２冷却機構７０（冷凍温度帯の冷却機構）は、例えば、冷凍用冷却器室７１、冷凍用冷却器７２、および冷凍用送風ファン７６を含む。冷蔵庫１の冷凍温度帯の貯蔵室（製氷室８３、小冷凍室８４、主冷凍室８５）の背壁部には、冷凍用冷却器室７１が設けられている。冷凍用冷却器室７１には、冷凍用冷却器７２や除霜用ヒータ（図示せず）などが配設されている。また、冷凍用冷却器７２の下方には、冷凍用送風ファン７６が配設されている。冷凍用冷却器室７１の前面の上端部には、冷気吹出口７７が設けられ、下端部には、冷凍室吸込口７８が設けられている。冷気吹出口７７は、小冷凍室８４（貯蔵室８０）に冷気を流入させる「冷気流入口」の一例である。冷気吹出口７７を形成する部材７９は、「筐体内構造部品」の一例である。
【００２３】
この構成において、冷凍用送風ファン７６が駆動されると、冷凍用冷却器７２により生成された冷気が、冷気吹出口７７から製氷室８３、小冷凍室８４、主冷凍室８５内に供給された後、冷凍室吸込口７８から冷凍用冷却器室７１内に戻されるといった循環が行われる。これにより、それら製氷室８３、小冷凍室８４、主冷凍室８５が冷却される。
【００２４】
ここで第１の実施形態の冷蔵庫１は、筐体１０と、扉２０（２１〜２６）と、複数の棚３０（３１〜３３）、複数の容器４０（４１〜４７）、製氷用給水タンク５１０などの内部部品とを持つ。筐体１０と、扉２０（２１〜２６）と、内部部品（例えば複数の棚３０（３１〜３３）や複数の容器４０（４１〜４７））とのうち少なくとも１つの少なくとも一部は、エアロゲル、キセロゲル、またはクライオゲルを含む特定断熱材２０９で形成されている。
【００２５】
第１の実施形態では、複数の扉２０（２１〜２６）のうち、右冷蔵室扉２２に窓部１１２が設けられた例を説明する。しかしながら、右冷蔵室扉２２以外の扉に、窓部１１２が設けられてもよい。複数の扉２０（２１〜２６）のうち、１つ以上の扉に、窓部１１２が設けられてもよい。第１の実施形態では、右冷蔵室扉２２が、冷蔵庫１の外部から貯蔵室（冷蔵室８１）の内部を視認可能な窓部１１２を有し、窓部１１２の少なくとも一部は、特定断熱材２０９で形成されている。
【００２６】
図４は、右冷蔵室扉２２の裏面２２ｂを示す背面図である。右冷蔵室扉２２は、冷蔵庫１の正面に立つユーザに対向する表面２２ａ（図１参照）と、冷蔵室８１の内部に露出する裏面２２ｂとを有する。裏面２２ｂには、複数のポケット２８が設けられている。裏面２２ｂにおいて、冷蔵庫１の奥行方向で窓部１１２と重なる部分には、ポケット２８は設けられていない。
【００２７】
図５は、図１中に示された右冷蔵室扉２２のＦ５−Ｆ５線に沿う断面図である。右冷蔵室扉２２は、例えば、前面板２０２、内面板２０５、通常断熱材２０７、および特定断熱材２０９を含む。
【００２８】
前面板２０２は、冷蔵庫１の外観に現われる化粧板であり、右冷蔵室扉２２の表面Ｓ１を形成している。前面板２０２は、例えば、合成樹脂、またはガラス板等の透明な部材で形成されている。第１の実施形態では、前面板２０２は、ガラス板で形成されている。例えば、前面板２０２は、上下方向および左右方向において右冷蔵室扉２２の略全域に亘る平板状に形成されている。前面板２０２の裏面には、飛散防止シート２０２ａが接着されている。前面板２０２には、開口部２１１が設けられている。
【００２９】
内面板２０５は、冷蔵室８１の内部に露出する側の化粧板であり、右冷蔵室扉２２の裏面Ｓ２を形成している。第１の実施形態では、内面板２０５は、例えば、合成樹脂等の部材で形成されている。内面板２０５は、前面板２０２と略平行に広がる平板状の平板部２０５ａを含む。平板部２０５ａには、前面板２０２の開口部２１１に対応する位置に、開口部２１２が設けられている。
【００３０】
通常断熱材２０７は、前面板２０２と内面板２０５との間に設けられている。第１の実施形態では、通常断熱材２０７は、例えば、第１真空断熱材２０７ａ、第２真空断熱材２０７ｂ、および発泡断熱材２０７ｃを含む。第１真空断熱材２０７ａと、第２真空断熱材２０７ｂとは、平板状に形成されている。
【００３１】
第１真空断熱材２０７ａは、特定断熱材２０９の左側に位置し、上下方向に延在する。第１真空断熱材２０７ａは、前面板２０２と内面板２０５との間にある。第１真空断熱材２０７ａは、その一部が、内面板２０５に、両面テープや接着剤などによって固定されている。
【００３２】
第２真空断熱材２０７ｂは、特定断熱材２０９の右側に位置し、上下方向に延在する。第２真空断熱材２０７ｂは、前面板２０２と内面板２０５との間にある。第２真空断熱材２０７ｂは、その一部が、内面板２０５に、両面テープや接着剤などによって固定されている。
【００３３】
発泡断熱材２０７ｃは、例えば、発泡ウレタンである。発泡断熱材２０７ｃは、前面板２０２と第１真空断熱材２０７ａとの間、内面板２０５と第１真空断熱材２０７ａとの間、前面板２０２と第２真空断熱材２０７ｂとの間、内面板２０５と第２真空断熱材２０７ｂとの間に充填されている。
【００３４】
上記説明では、通常断熱材２０７として、第１真空断熱材２０７ａ、第２真空断熱材２０７ｂの両方が備えられるものとしたが、第１真空断熱材２０７ａと第２真空断熱材２０７ｂとのうちいずれか一方は、備えられていなくてもよい。または、第１真空断熱材２０７ａと第２真空断熱材２０７ｂの両方が備えられていなくてもよい。この場合、発泡断熱材２０７ｃが、前面板２０２と内面板２０５との間を充填する。
【００３５】
特定断熱材２０９は、エアロゲル、キセロゲル、またはクライオゲルを含む断熱材である。なお「エアロゲル、キセロゲル、またはクライオゲルを含む」とは、「エアロゲル、キセロゲル、またはクライオゲルのうち１つ以上を含む」の意味で用いている。エアロゲル、キセロゲル、およびクライオゲルは、それぞれ、低密度構造体（乾燥ゲル）である。「エアロゲル」とは、例えば、ゲル中に含まれる溶媒を超臨界乾燥により気体に置換した多孔性物質である。「キセロゲル」とは、ゲル中に含まれる溶媒を蒸発乾燥により気体に置換した多孔性物質である。「クライオゲル」とは、ゲル中に含まれる溶媒を凍結乾燥により気体に置換した多孔性物質である。
【００３６】
なお、エアロゲルのなかには、例えば特定の元素を導入することで、超臨界乾燥を使わずに乾燥させることができるものも存在する。本明細書でいう「エアロゲル」とは、そのようなエアロゲルも含む。すなわち本明細書でいう「エアロゲル」とは、超臨界乾燥を用いて製造されたものに限定されず、「エアロゲル」として流通する各種素材を広く意味する。超臨界乾燥が不要なエアロゲルとしては、例えば、二酸化ケイ素の分子ネットワークにメチル基などの有機鎖が導入された有機−無機ハイブリッドエアロゲルが知られており、ＰＭＳＱ（ＣＨ３ＳｉＯ１．５）エアロゲルなどがある。ただし、これらはあくまで例示である。
【００３７】
エアロゲル、キセロゲル、およびクライオゲルは、微細な空孔を多数持ち、極めて高い空隙率（９０％以上、好ましくは９５％以上の空隙率）を持つ超低密度の乾燥多孔体である。上記乾燥多孔体の密度は、例えば１５０ｍｇ／ｃｍ３以下である。エアロゲル、キセロゲル、クライオゲルは、例えば、二酸化ケイ素などが数珠状に結合された構造を持ち、ナノメータレベル（例えば１００ｎｍ以下、好ましくは２ｎｍ〜５０ｎｍ）の空隙を多数持つ。このようにナノメータレベルの細孔と格子状構造を持つため、気体分子の平均自由行程を縮小することができ、常圧でも気体分子同士の熱伝導が非常に少なく、熱伝導率が非常に小さいものである。例えば、エアロゲル、キセロゲル、およびクライオゲルは、空気の平均自由行程より小さな微細な空隙を持つ。
【００３８】
エアロゲル、キセロゲル、およびクライオゲルとしては、ケイ素、アルミニウム、鉄、銅、ジルコニウム、ハフニウム、マグネシウム、イットリウムなどの金属酸化物からなる無機エアロゲル、無機キセロゲル、または無機クライオゲルでもよく、例えば二酸化ケイ素を含むシリカエアロゲル、シリカキセロゲル、またはシリカクライオゲルなどでもよい。これらは、直径１０ｎｍ〜２０ｎｍのシリカ（ＳｉＯ２）微粒子が連なった構造で、数１０ｎｍの幅の細孔を持つ。低密度のため固体部分の熱伝導が極めて小さいことに加え、細孔内部の空気の運動が制限されることから、非常に低い熱伝導率（０．０１２〜０．０２Ｗ（ｍ・Ｋ）を示す。さらに、シリカ微粒子や細孔が可視光の波長よりも小さく、可視光を散乱しないため、光透過性が高い。また、エアロゲル、キセロゲル、およびクライオゲルを構成する素材は、カーボンなどでもよい。第１の実施形態では、エアロゲル、キセロゲル、クライオゲルの素材としては光透過性を持つ素材（例えば透明な素材）が採用される。
【００３９】
エアロゲル、キセロゲル、およびクライオゲルは、素材を選択することで、任意の性質（例えば弾性や柔軟性）を持たせることができる。例えば、ポリプロピレンを素材とすることで、高い弾性または柔軟性を持たせることができる。
【００４０】
エアロゲル、キセロゲル、およびクライオゲルは、それぞれ単体で特定断熱材２０９を形成してもよい。これに代えて、エアロゲル、キセロゲル、およびクライオゲルは、それぞれ前駆体の状態で別の素材（例えば繊維構造物）が浸漬されることで複合体断熱材である特定断熱材２０９を形成してもよい。このような繊維構造物は、乾燥ゲルを補強し、また支持するための補強材ないし支持体として作用するものであり、フレキシブルな複合体断熱材を得るためにフレキシブルな織布、編布、不織布などが用いられ、より好ましくはフェルトまたはブランケット状のものが用いられる。繊維構造物の材質としては、ポリエステル繊維等の有機繊維の他、ガラス繊維などの無機繊維を用いることもできる。第１の実施形態では、繊維構造物も光透過性を持つ素材（例えば透明な素材）が採用される。
【００４１】
上記繊維構造物は、例えば、天然高分子のキトサンである。特定断熱材２０９は、疎水化された微細なキトサン繊維の三次元網目構造を含み、超高空隙率（体積の９６〜９７%が空隙）を持つ。疎水化によって、親水性キトサンエアロゲルの均質なナノ構造を維持しつつ、多糖類のナノ繊維からなる材料の課題である耐湿性が高められ撥水性を持つ。
【００４２】
特定断熱材２０９は、例えば、ポリプロピレン発泡体と、シリカエアロゲル、キセロゲル、クライオゲルから選択される１つとを複合化した断熱材であってもよい。
【００４３】
特定断熱材２０９の熱伝導率は、真空断熱材の熱伝導率よりも高いが、発泡ウレタンなどの発泡断熱材の熱伝導率よりも低い。すなわち、特定断熱材２０９の断熱性は、真空断熱材の断熱性には及ばないが、発泡断熱材の断熱性よりも優れている。特定断熱材２０９の熱伝導率は、例えば、０．０１０Ｗ／ｍ・Ｋ〜０．０１５Ｗ／ｍ・Ｋである。真空断熱材の熱伝導率は、例えば、０．００３Ｗ／ｍ・Ｋ〜０．００５Ｗ／ｍ・Ｋである。発泡断熱材の熱伝導率は、例えば、０．０２０Ｗ／ｍ・Ｋ〜０．０２２Ｗ／ｍ・Ｋである。なお、これら数値はあくまで例示である。
【００４４】
特定断熱材２０９が柔軟性を有する場合、特定断熱材２０９の柔軟性（曲げやすさ）は、例えば、前記真空断熱材の柔軟性よりも高く、前記発泡断熱材の柔軟性よりも高い。また、特定断熱材２０９が弾性を有する場合、特定断熱材２０９の弾性は、例えば、前記真空断熱材の弾性（実質的にゼロに近い）よりも高く、前記発泡断熱材の弾性（実質的にゼロに近い）よりも高い。
【００４５】
第１の実施形態では、特定断熱材２０９は、透明である。以下では説明の便宜上、特定断熱材２０９を、透明断熱材２０９と称する。
【００４６】
透明断熱材２０９は、例えば、本体部２０９ａと、支持部分２０９ｂ，２０９ｃとを有する。本体部２０９ａは、冷蔵庫１の横幅方向において、第１真空断熱材２０７ａと第２真空断熱材２０７ｂとの間にある。本体部２０９ａの前端部は、前面板２０２の開口部２１１に嵌め込まれている。本体部２０９ａの前面は、前面板２０２の前面と同一平面上にある。本体部２０９ａの後端部は、内面板２０５の開口部２１２に嵌め込まれていること。本体部２０９ａの後面は、内面板２０５の後面と同一平面上にある。
【００４７】
支持部分２０９ｂ，２０９ｃは、冷蔵庫１の奥行方向で、前面板２０２と内面板２０５との間にある。例えば、支持部分２０９ｂ、２０９ｃは、前面板２０２と第１真空断熱材２０７ａとの間、前面板２０２と第２真空断熱材２０７ｂとの間にそれぞれ挟まれることによって、右冷蔵室扉２２内で位置が規制されている。支持部分２０９ｂ、２０９ｃの側方において前面板２０２と真空断熱材２０７ａ，２０７ｂとの間に存在する隙間は、発泡断熱材２０７ｃで埋められている。
【００４８】
第１真空断熱材２０７ａと支持部分２０９ｂとの間、第２真空断熱材２０７ｂと支持部分２０９ｃとの間、前面板２０２と支持部分２０９ｂ、２０９ｃとの間に、例えば、合成樹脂等の部材などによって形成される受部材が介在されてもよい。透明断熱材２０９の固定は、上述の構成に限定されるものではなく、ねじ挿通穴に締結部材（ボルトやねじなど）が係合することで、透明断熱材２０９が開口部２１１に固定されてもよい。
【００４９】
複数の扉２０のなかで右冷蔵室扉２２以外の扉２０（野菜室扉２３、製氷室扉２４、小冷凍室扉２５、主冷凍室扉２６）も、同様に構成されてもよいし、透明断熱材２０９が設けられていなくてもよい。
【００５０】
以上のような構成によれば、冷蔵庫１の断熱性を確保しつつ、扉を開けずに冷蔵庫１の内部の視認が容易になり、冷蔵庫１の利便性が向上する。
【００５１】
（第１の実施形態の第１変形例）
図６は、第１の実施形態の第１変形例の冷蔵庫１Ａの右冷蔵室扉２２Ａの断面図である。第１変形例の右冷蔵室扉２２Ａは、例えば、前面板２０２Ａ、内面板２０５、通常断熱材２０７、および透明断熱材２０９Ａを含む。
【００５２】
前面板２０２Ａは、第１の実施形態の冷蔵庫１の前面板２０２と同様に構成されるが、前面板２０２Ａは、前面板２０２のような開口部２１１を備えていない。つまり、前面板２０２Ａは、右冷蔵室扉２２Ａの略全幅に亘る板状である。前面板２０２Ａは、透明断熱材２０９Ａの全幅において、透明断熱材２０９Ａの前側に位置する。
【００５３】
本変形例の右冷蔵室扉２２Ａの透明断熱材２０９Ａは、飛散防止シート２０２ａを介して前面板２０２Ａの背面に接するように配置されている。本変形例では、飛散防止シート２０２ａは、透明部材で形成されている。
【００５４】
透明断熱材２０９Ａは、光を透過しつつ２つの真空断熱材２０７ａ，２０７ｂの間に位置した部分を含む本体部分２０９Ａａと、本体部分２０９Ａａの側部から冷蔵庫１の幅方向に突出する支持部分２０９Ａｂ、２０９Ａｃとを備える。本体部２０９Ａａは、前面板２０２Ａの背後に位置し、前面板２０２Ａによって前側への移動が規制されている。図示されるように、支持部分２０９Ａｂ、２０９Ａｃは、前面板２０２と通常断熱材２０７とに挟まれる（例えば前面板２０２と真空断熱材２０７ａ，２０７とに挟まれる）ことによって、右冷蔵室扉２２Ａ内で位置が規制されている。透明断熱材２０９Ａの本体部分２０９Ａａと支持部分２０９Ａｂ、２０９Ａｃにおける、前面板２０２Ａに接する面は、同一平面上に位置する。第１変形例の右冷蔵室扉２２Ａは、上記以外の構成については、第１実施形態の右冷蔵室扉２２と同様に構成される。
【００５５】
複数の扉２０のなかで右冷蔵室扉２２以外の扉２０（野菜室扉２３、製氷室扉２４、小冷凍室扉２５、主冷凍室扉２６）も、同様に構成されてもよいし、透明断熱材２０９Ａが設けられていなくてもよい。
【００５６】
（第１の実施形態の第２変形例）
図７は、第１の実施形態の第２変形例の冷蔵庫１Ｂの右冷蔵室扉２２Ｂの断面図である。第２変形例の冷蔵庫１Ｂの右冷蔵室扉２２Ｂは、例えば、前面板２０２Ｂ、内面板２０５、通常断熱材２０７、および透明断熱材２０９Ｂを含む。
【００５７】
前面板２０２Ｂは、例えば、第１変形例の前面板２０２Ａと同様に構成されている。第２変形例の右冷蔵室扉２２Ｂの透明断熱材２０９Ｂは、飛散防止シート２０２ａを介して前面板２０２Ｂの背面に接するように配置されている。本変形例では、飛散防止シート２０２ａは、透明部材で形成されている。
【００５８】
透明断熱材２０９Ｂは、光を透過しつつ２つの真空断熱材２０７ａ，２０７ｂの間に位置した部分を含む本体部分２０９Ｂａと、本体部分２０９Ｂａの側部から冷蔵庫１の幅方向に突出する支持部分２０９Ｂｂ、２０９Ｂｃとを備える。図示されるように、支持部分２０９Ｂｂ、２０９Ｂｃは、内面板２０５と通常断熱材２０７とに挟まれる（例えば内面板２０５と真空断熱材２０７ａ，２０７とに挟まれる）ことによって、右冷蔵室扉２２Ｂ内で位置が規制されている。支持部分２０９Ｂｂ、２０９Ｂｃは、本体部分２０９Ｂａの側部において、内面板２０５Ｂの前面に接するように備えられている。第２変形例の右冷蔵室扉２２Ｂは、上記以外の構成については、第１実施形態の右冷蔵室扉２２と同様に構成される。
【００５９】
複数の扉２０のなかで右冷蔵室扉２２以外の扉２０（野菜室扉２３、製氷室扉２４、小冷凍室扉２５、主冷凍室扉２６）も、同様に構成されてもよいし、透明断熱材２０９Ｂが設けられていなくてもよい。
【００６０】
（第２の実施形態）
図８は、第２の実施形態の冷蔵庫１Ｃの照明部４００を示す断面図であり、冷蔵庫１Ｃの正面にユーザが立って扉２２を開けて冷蔵室８１を見たときの図である。第２の実施形態の冷蔵庫１Ｃは、照明部４００を備える点以外は、第１実施形態の冷蔵庫１と同様に構成される。照明部４００は、例えば、冷蔵室８１内を照らす発光部４０２と、冷蔵室８１内に配置されて発光部４０２を覆う照明カバー４０４と、を備える。例えば、照明カバー４０４は、発光部４０２が発する光を冷蔵室８１内に拡散させるカバーである。照明カバー４０４の少なくとも一部は、特定断熱材２０９で形成されている。第２の実施形態では、照明カバー４０４の全部が特定断熱材２０９で形成されている。第２の実施形態では、特定断熱材２０９は、例えば半透明である。照明カバー４０４は、「内部部品」の一例である。
【００６１】
第２の実施形態の冷蔵庫１Ｃによれば、照明カバー４０４によって、発光部４０２の光を透過しつつ、発光部４０２の発生する熱によって冷蔵室８１が影響を受けることを抑制することができる。
【００６２】
尚、照明カバー４０４は、特定断熱材２０９で形成されることに代えて、次のような構成を有してもよい。すなわち、照明カバー４０４は、光透過性を有する合成樹脂またはガラスなどで形成されて発光部４０２を覆うカバー本体と、特定断熱材２０９で形成されて上記カバー本体の内面または外面に取り付けられた断熱シートを有してもよい。
【００６３】
（第３の実施形態）
図９は、第３の実施形態の冷蔵庫１Ｄを示す断面図である。図１０は、第３の実施形態の第１仕切壁９１Ｄの第１仕切壁上部部材９１Ｄａを下方から見た下面図である。第３の実施形態の冷蔵庫１Ｄは、第１の実施形態の冷蔵庫１と同様に構成されるが、冷蔵庫１Ｄは、第１仕切壁９１の代わりに第１仕切壁９１Ｄを備える点が第１実施形態の冷蔵庫１と異なる。第１仕切壁９１Ｄは、「仕切り部」の一例である。
【００６４】
言い換えると、筐体１０は、複数の貯蔵室８０（冷蔵室８１、野菜室８２）と、前記複数の貯蔵室８０の間に設けられた仕切り部（第１仕切壁９１Ｄ）とを有し、仕切り部（第１仕切壁９１Ｄ）の少なくとも一部は、特定断熱材２０９で形成されている。
【００６５】
図示されるように、第１仕切壁９１Ｄは、例えば、第１仕切壁上部部材９１Ｄａと、第１仕切壁下部部材９１Ｄｂと、第１仕切壁断熱シート３０１とを含む。
【００６６】
第１仕切壁上部部材９１Ｄａは、水平に延びた板部９２ａと、リブ９２ｂと、１つ以上の冷気案内部９２ｃとを有する。板部９２ａは、水平に延びており、製氷用給水タンク室８１ｂの底部およびチルド室８１ｃの底部を形成している。
【００６７】
板部９２ａは、チルド室８１ｃの下方に位置した第１領域９２ａ１と、チルド室８１ｃの下方を外れた（例えばチルド室８１ｃよりも前側に位置した）第２領域９２ａ２とを有する。リブ９２ｂは、冷蔵庫１の横幅方向に延在する板状の突出部であり、板部９２ａの下面から下方に向けて突出し、リブ９２ｂの下端部は、第１仕切壁下部部材９１Ｄｂの上面に当接している。例えば、リブ９２ｂは、板部９２ａの第１領域９２ａ１に設けられている。
【００６８】
冷気案内部９２ｃは、板部９２ａから下方に突出し、第１仕切壁下部部材９１Ｄｂの上面に当接している。冷気案内部９２ｃは、冷気が流れる貫通穴を有している。図示されるように、第３の実施形態では、冷気案内部９２ｃは、筐体１０の側壁（左側壁１４、右側壁１５）との間に冷気が流れる貫通穴が構成される切欠部である。
【００６９】
第１仕切壁下部部材９１Ｄｂは、水平に延びた板部９３ａと、１つ以上の冷気案内部９３ｃとを有する。板部９３ａは、水平に延びており、野菜室８２の天井を形成している。板部９３ａは、第１仕切壁上部部材９１Ｄａの下方に位置し、第１仕切壁上部部材９１Ｄａとの間には空間が存在する。冷気案内部９３ｃは、冷気案内部９２ｃに対応する位置に設けられる。冷気案内部９３ｃは、冷気が流れる貫通穴を有している。図示されるように、第３の実施形態では、冷気案内部９３ｃは、筐体１０の側壁（左側壁１４、右側壁１５）との間に冷気が流れる貫通穴が構成される切欠部である。
【００７０】
第１仕切壁上部部材９１Ｄａと、第１仕切壁下部部材９１Ｄｂとのそれぞれは、例えば、図示されるように、光透過性を有する合成樹脂、ガラス等の部材で形成される薄板状の部材である。
【００７１】
第１仕切壁断熱シート３０１は、例えば、上記に説明した、特定断熱材２０９で形成されており、光透過性を有する接着剤や両面テープで、第１仕切壁上部部材９１Ｄａの板部９２ａの第１領域９２ａ１の下面に接着される。第１仕切壁断熱シート３０１は、第１仕切壁上部部材９１Ｄａの板部９２ａの第２領域９２ａ２には設けられていない。
【００７２】
第１仕切壁断熱シート３０１は、例えば、図示されるように、リブ９２ｂに対応する、横幅方向に細長い穴部３０１ａを備える。第１仕切壁断熱シート３０１が、第１仕切壁上部部材９１Ｄａの下面に接着された状態で、リブ９２ｂは、穴部３０１ａを下方に貫通する。第１仕切壁断熱シート３０１が下面に張り付けられた第１仕切壁上部部材９１Ｄａは、第１仕切壁下部部材９１Ｄｂの上に重ねられて、図示しない係合手段により互いに係合されることにより、第１仕切壁９１Ｄを構成する。
【００７３】
上記述べたように、１対の冷気案内部９２ｃと冷気案内部９３ｃとによって、前側通気口９４ｃが構成される。前側通気口９４ｃは、第１仕切壁上部部材９１Ｄａと第１仕切壁下部部材９１Ｄｂとを貫通する貫通穴であり、前側通気口９４ｃによって、冷蔵室８１と野菜室８２とが連通する。また、第１仕切壁９１Ｄは、同様に、奥行方向の奥側の１つ以上の角部が、切欠状に形成されて後側通気口９４ｂを構成する。後側通気口９４ｂは、第１仕切壁上部部材９１Ｄａと第１仕切壁下部部材９１Ｄｂとを貫通する貫通穴であり、後側通気口９４ｂによって、冷蔵室８１と野菜室８２とが連通する。第１仕切壁９１Ｄは、前側通気口９４ｃと後側通気口９４ｂのうち、少なくともいずれか１つ以上を備えればよい。後側通気口９４ｂは、野菜室８２（貯蔵室８０）に冷気を流入させる「冷気流入口」の一例である。第１仕切壁９１Ｄは、「筐体内構造部品」の一例である。
【００７４】
第３の実施形態の冷蔵庫１Ｄによれば、第１仕切壁断熱シート３０１が、チルド室８１ｃの真下（板部９２ａの第１領域９２ａ１）に設けられているので、冷蔵温度帯（例えば１〜５℃）よりも低温であるチルド温度帯（例えば０〜１℃）に保たれるチルド室８１ｃの温度が、野菜室８２に伝わることを抑制することができる。つまり、第３の実施形態の冷蔵庫１Ｄによれば、チルド室８１ｃの温度によって、野菜室８２のなかで局所的に冷え過ぎる部分が生じるのを抑制することができる。
【００７５】
一方、例えば、板部９２ａの第２領域９２ａ２には、第１仕切壁断熱シート３０１が設けられていない。このため、通常冷蔵室８１ａと野菜室８２との間が断熱されている場合と比べて、通常冷蔵室８１ａの温度によって、野菜室８２が効率的に冷やされることができるので、省エネ性を向上させることができる。
【００７６】
また、第３の実施形態の冷蔵庫１Ｄによれば、上記の効果に加え、ユーザは、光透過性を有する第１仕切壁９１Ｄを通して、冷蔵室８１から野菜室８２を見ることができる。これにより、冷蔵庫１Ｄの貯蔵物の視認が容易になり、冷蔵庫１Ｄの利便性が向上する。また、冷蔵庫１Ｄの審美性を向上させることができる。
【００７７】
尚、第１仕切壁断熱シート３０１は、第１仕切壁上部部材９１Ｄａの上面に取り付けられてもよく、第１仕切壁下部部材９１Ｄａの上面に取り付けられてもよく、第１仕切壁下部部材９１Ｄａの下面に取り付けられてもよい。
【００７８】
（第３実施形態の変形例）
図１１は、第３の実施形態の変形例の冷蔵庫１Ｅを示す断面図である。第３の実施形態の変形例の冷蔵庫１Ｅは、第３の実施形態の冷蔵庫１Ｄと同様の構成を有するが、第１仕切壁９１Ｄの代わりに、第１仕切壁９１Ｅを備える点が、第３の実施形態の冷蔵庫１Ｄと異なる。
【００７９】
第１仕切壁９１Ｅは、チルド室８１ｃの下方に位置した第１領域９１Ｅ１と、チルド室８１ｃの下方を外れた（例えばチルド室８１ｃよりも前側に位置した）第２領域９１Ｅ２とを有する。第３の実施形態の変形例では、第１領域９１Ｅ１と第２領域９１Ｅ２との両方が特定断熱材２０９で形成されている。
【００８０】
したがって、第１仕切壁９１Ｅは、第１仕切壁断熱シート３０１が張り付けられなくとも、第１仕切壁９１Ｅは断熱性を有する。第１仕切壁９１Ｅは、「仕切り部」の一例である。
【００８１】
第３の実施形態の変形例の冷蔵庫１Ｅによれば、上述した第３の実施形態の冷蔵庫１Ｄと同様の効果（チルド室８１ｃからの断熱と視認容易性）を得ることができることに加え、第１仕切壁９１Ｅの構造を簡易にすることができ、製造工程を簡略化することができる。
【００８２】
なお上記構成に代えて、第１領域９１Ｅ１だけ特定断熱材２０９で形成され、第２領域９１Ｅ２は透明な合成樹脂やガラス板等で形成されてもよい。この場合、通常冷蔵室８１ａの温度によって、第２領域９１Ｅ２を通じて、野菜室８２が効率的に冷やされることができるので、省エネ性を向上させることができる。
【００８３】
（第４の実施形態）
図１２は、第４の実施形態の冷蔵庫１Ｆを示す断面図である。第４の実施形態の冷蔵庫１Ｆは、第１の実施形態の冷蔵庫１と同様に構成されるが、冷蔵庫１Ｆは、第２仕切壁９５の代わりに第２仕切壁９５Ｆを備える点が第１実施形態の冷蔵庫１と異なる。第２仕切壁９５Ｆは、第２仕切壁本体部９５Ｆａと、第２仕切壁断熱シート３０２を備える。
【００８４】
第２仕切壁本体部９５Ｆａは、例えば、光透過性を有する合成樹脂、ガラス等の部材で形成されており、野菜室８２と、製氷室および小冷凍室８４との間に設けられ、野菜室８２と、製氷室８３および小冷凍室８４との間を仕切っている。第２仕切壁断熱シート３０２は、例えば、特定断熱材２０９で形成されており、光透過性を有する接着剤や両面テープで、第２仕切壁本体部９５Ｆａの下面に接着される。例えば、第２仕切壁断熱シート３０２は、第２仕切壁本体部９５Ｆａの下面の略全領域に亘る大きさを有する。第２仕切壁断熱シート３０２と第２仕切壁本体部９５Ｆａとによって、「仕切り部」の一例が構成される。
【００８５】
第４の実施形態の冷蔵庫１Ｆによれば、ユーザは、光透過性を有する第２仕切壁９５Ｆを通して、野菜室８２から製氷室８３および小冷凍室８４を見ることができる。これにより、冷蔵庫１Ｆの貯蔵物の視認が容易になり、冷蔵庫１Ｄの利便性が向上する。また、冷蔵庫１Ｆの審美性を向上させることができる。
【００８６】
尚、第２仕切壁断熱シート３０２は、第２仕切壁本体部９５Ｆａの下面に接着されることに代えて、第２仕切壁本体部９５Ｆａの上面に接着されてもよい。
【００８７】
（第４の実施形態の変形例）
図１３は、第４の実施形態の変形例の冷蔵庫１Ｇを示す断面図である。第４の実施形態の変形例の冷蔵庫１Ｇは、第４の実施形態の冷蔵庫１Ｆと同様の構成を有するが、第２仕切壁９５Ｆの代わりに、第２仕切壁９５Ｇを備える点が、第４の実施形態の冷蔵庫１Ｆと異なる。第２仕切壁９５Ｇは、特定断熱材２０９によって形成される。したがって、第２仕切壁断熱シート３０２を張り付けなくとも、第２仕切壁９５Ｇは断熱性を有する。第２仕切壁９５Ｇは、「仕切り部」の一例である。
【００８８】
第４の実施形態の変形例の冷蔵庫１Ｇによれば、上述した第４の実施形態の冷蔵庫１Ｆと同様の効果を得ることができることに加え、第２仕切壁９５Ｇの構造を簡易にすることができ、製造工程を簡略化することができる。
【００８９】
（第５の実施形態）
図１４は、第５の実施形態の冷蔵庫１Ｈを示す断面図である。第５の実施形態の冷蔵庫１Ｈは、第１の実施形態の冷蔵庫１と同様に構成されるが、第５の実施形態の冷蔵庫１Ｈにおいては、チルド室上面仕切部９６の代わりに、チルド室上面仕切部９６ａを備える点と、チルド室蓋９８を備える点が第１の実施形態の冷蔵庫１と異なる。
【００９０】
第５の実施形態の冷蔵庫１Ｈにおいては、チルドケース４１と、チルド室上面仕切部９６ａと、チルド室蓋９８と、第３仕切壁断熱シート３０３と、第４仕切壁断熱シート３０４とが備えられる。
【００９１】
チルド室上面仕切部９６ａは、通常冷蔵室８１ａとチルド室８１ｃとの間において、略水平方向に延び、チルド室８１ｃの天井部を形成する。チルド室蓋９８は、チルド室８１ｃの前側に位置しており、例えば、チルド室上面仕切部９６ａの前側上端部に回動可能に連結されることにより、チルド室８１ｃを開閉可能に閉じる。ただし、チルド室蓋９８は、チルド室上面仕切部９６ａに回動可能に連結されたものに代えて、チルドケース４１と一体に設けられ、チルドケース４１と一体に冷蔵庫１の前方に向けて移動可能なものでもよい。
【００９２】
チルド室８１ｃは、チルド室上面仕切部９６ａと、チルド室蓋９８とによって、通常冷蔵室８１ａから仕切られている。チルド室８１ｃの内部には、出し入れ可能に設けられたチルドケース４１が設けられている。
【００９３】
チルド室上面仕切部９６ａと、チルド室蓋９８とは、例えば、光透過性を有する合成樹脂、ガラス等の部材で形成されている。第３仕切壁断熱シート３０３は、例えば、特定断熱材２０９で形成されており、光透過性を有する接着剤や両面テープで、チルド室上面仕切部９６ａの下面に接着される。例えば、第３仕切壁断熱シート３０３は、チルド室上面仕切部９６ａの下面の略全領域に亘る大きさを有する。
【００９４】
同様に、第４仕切壁断熱シート３０４は、例えば、特定断熱材２０９で形成されており、光透過性を有する接着剤や両面テープで、チルド室蓋９８の内側の面（チルド室８１ｃの内部に露出する面）に接着される。例えば、第４仕切壁断熱シート３０４は、チルド室蓋９８の内側の面の略全領域に亘る大きさを有する。
【００９５】
尚、チルド室上面仕切部９６ａと、チルド室蓋９８と、第３仕切壁断熱シート３０３と、第４仕切壁断熱シート３０４とによって、「区画部材」の一例が構成される。チルド室上面仕切部９６ａと第３仕切壁断熱シート３０３とによって、「第２貯蔵部の天井部を形成した板部」の一例が構成される。チルド室蓋９８と第４仕切壁断熱シート３０４とによって、「第２貯蔵部を開閉可能に閉じる蓋」の一例が構成される。
【００９６】
第５の実施形態の冷蔵庫１Ｈによれば、ユーザは、光透過性を有するチルド室上面仕切部９６ａおよび第３仕切壁断熱シート３０３と、チルド室蓋９８および第４仕切壁断熱シート３０４とを通して、チルド室８１ｃの内部を見ることができる。これにより、冷蔵庫１Ｈの貯蔵物の視認が容易になり、冷蔵庫１Ｈの審美性を向上させることができる。
【００９７】
尚、チルド室上面仕切部９６ａとチルド室蓋９８は、合成樹脂またはガラス等に代えて特定断熱材２０９で形成されていてもよい。この場合、第３仕切壁断熱シート３０３と第４仕切壁断熱シート３０４を張り付けなくとも、チルド室上面仕切部９６ａとチルド室蓋９８は断熱性を有する。これにより、上述した効果を得ることができることに加え、チルド室上面仕切部９６ａとチルド室蓋９８の構造を簡易にすることができ、製造工程を簡略化することができる。
【００９８】
また、第３仕切壁断熱シート３０３は、チルド室上面仕切部９６ａの下面に接着されることに代えて、チルド室上面仕切部９６ａの上面に接着されてもよい。第４仕切壁断熱シート３０４は、チルド室蓋９８の内側の面に接着されることに代えて、チルド室蓋９８の外側の面に接着されてもよい。
【００９９】
（第６の実施形態）
図１５は、第６の実施形態の冷蔵庫１Ｊを示す断面図である。第６の実施形態の冷蔵庫１Ｊは、チルド室８１ｃに２段式のトレイが配置された点が、第５の実施形態の冷蔵庫１Ｈと異なる。
【０１００】
第６の実施形態の冷蔵庫１Ｊにおいては、上段チルドケース４１ａと、下段チルドケース４１ｂと、チルド室上面仕切部９６ａと、チルド室蓋９８と、第５仕切壁断熱シート３０５と、第６仕切壁断熱シート３０６と、第７仕切壁断熱シート３０７とが備えられている。チルド室８１ｃは、チルド室上面仕切部９６ａと、チルド室蓋９８とによって、通常冷蔵室８１ａから仕切られている。
【０１０１】
チルド室８１ｃの内部には、出し入れ可能に設けられた上段チルドケース４１ａと、下段チルドケース４１ｂとが設けられている。少なくとも、チルド室上面仕切部９６ａと、チルド室蓋９８と、上段チルドケース４１ａとは、例えば、光透過性を有する合成樹脂、ガラス等の部材で形成されている。下段チルドケース４１ｂも、例えば、光透過性を有する合成樹脂、ガラス等の部材で形成されている。
【０１０２】
第５仕切壁断熱シート３０５と、第６仕切壁断熱シート３０６と、第７仕切壁断熱シート３０７は、例えば、特定断熱材２０９で形成されている。光透過性を有する接着剤や両面テープで、第５仕切壁断熱シート３０５は、チルド室上面仕切部９６ａの下面に接着され、第６仕切壁断熱シート３０６は、チルド室蓋９８の裏面に接着され、第７仕切壁断熱シート３０７は、上段チルドケース４１ａの底部４１ａａに接着される。下段チルドケース４１ｂは、「第１トレイ」の一例である。上段チルドケース４１ａは、「第２トレイ」の一例である。上段チルドケース４１ａの底部４１ａａと、第７仕切壁断熱シート３０７のなかで上記底部４１ａａに取り付けられた部分は、第２トレイの底部の一例を構成する。
【０１０３】
詳しく述べると、上段チルドケース４１ａは、例えば、底部４１ａａ、後壁４１ａｂ、前壁４１ａｃ、左右の側壁（左側壁４１ａｄのみ図示）を有し、上方が開放された椀状に形成されている。底部４１ａａは、水平に延びて、上段チルドケース４１ａの内部（収容空間）と、下段チルドケース４１ｂの内部（収容空間）との間に位置する。後壁４１ａｂは、底部４１ａａの後端部から起立している。後壁４１ａｂは、底部４１ａａ、前壁４１ａｃ、および左右の側壁と比べて、チルド用冷気供給口６５に近い壁部である。前壁４１ａｃは、底部４１ａａの前端部から起立している。左右の側壁は、底部４１ａａの左右の端部から起立している。
【０１０４】
チルド用冷気供給口６５は、冷蔵用冷却器室６１の前壁部６３（チルド室８１ｃの後壁部）に設けられている。本実施形態では、チルド用冷気供給口６５は、上段チルドケース４１ａの後方に設けられている。例えば、チルド用冷気供給口６５は、冷蔵庫１の上下方向において、上段チルドケース４１ａの底部４１ａａに対して、下段チルドケース４１ｂとは反対側に位置する。
【０１０５】
第７仕切壁断熱シート３０７は、例えば、底部４１ａａの下面に接着され、底部４１ａａの略全域を覆う。一方で、後壁４１ａｂの一部（例えばチルド用冷気供給口６５に近い領域を含む半分以上）は、第７仕切壁断熱シート３０７には覆われていない。このため、チルド用冷気供給口６５からチルド室８１ｃに供給された冷気は、上段チルドケース４１ａの内部を効率的に冷却することができる。
【０１０６】
ただし、第７仕切壁断熱シート３０７は、後壁４１ａｂに取り付けられ、後壁４１ａｂの略全域を覆ってもよい。この場合、チルド用冷気供給口６５の冷気が上段チルドケース４１ａの内部に伝わりにくく、上段チルドケース４１ａにおいて後壁４１ａｂの近くが局所的に冷えすぎることを抑制することができる。
【０１０７】
図示されるように、冷蔵用送風ファン６４から取り込まれて冷蔵用冷却器６２で冷却された冷気は、チルド用冷気供給口６５から、第１温度でチルド室８１ｃの上段チルドケース４１ａの近くに吹き出す。上段チルドケース４１ａを冷却した冷気の一部は、上段チルドケース４１ａの食品などの貯蔵物を冷却し、貯蔵物との熱交換により温度が上昇する。その後、冷気は、チルド室蓋９８に沿って流れ、第１温度より高い第２温度で下段チルドケース４１ｂに流入し、下段チルドケース４１ｂの貯蔵物を冷却する。その後、冷気は、冷蔵用送風ファン６４に吸引されて、野菜室８２の背後を通って、冷蔵室吸込口３６から冷蔵用冷却器６２に戻る。
【０１０８】
第６の実施形態の冷蔵庫１Ｊによれば、上述した第５の実施形態の冷蔵庫１Ｈと同様の効果を得ることができることに加え、上段チルドケース４１ａの断熱性を高めることにより、上段チルドケース４１ａと下段チルドケース４１ｂとに温度差をつけることができる。つまり、上段チルドケース４１ａを下段チルドケース４１ｂよりも低温に保つことができる。これにより、肉や魚介類などの解凍状態で保存すると傷みやすい食品を上段チルドケース４１ａに保存し、凍らせずに保存しておきたい生鮮食品は、下段チルドケース４１ｂに保存するといったように、食品の種類によって、上段チルドケース４１ａと下段チルドケース４１ｂとを使い分けることができる。
【０１０９】
しかも、ユーザは、光透過性を有するチルド室上面仕切部９６ａと、チルド室蓋９８と、上段チルドケース４１ａとを通して、上段チルドケース４１ａと下段チルドケース４１ｂとの内部を見ることができる。これにより、冷蔵庫１Ｈの貯蔵物の視認が容易になり、冷蔵庫１Ｊの審美性を向上させることができる。
【０１１０】
尚、上述した各変形例と同様に、第５仕切壁断熱シート３０５と、第６仕切壁断熱シート３０６と、第７仕切壁断熱シート３０７を張り付けるかわりに、チルド室上面仕切部９６ａと、チルド室蓋９８と、上段チルドケース４１ａとを特定断熱材２０９によって形成してもよい。この場合、第６の実施形態の冷蔵庫１Ｈの効果に加え、上述した各変形例の冷蔵庫と同様の効果を得ることができる。
【０１１１】
また、チルド用冷気供給口６５は、上段チルドケース４１ａの後方に設けられることに代えて、下段チルドケース４１ｂの後方に設けられてもよい。この場合、チルド用冷気供給口６５は、冷蔵庫１の上下方向において、上段チルドケース４１ａの底部４１ａａに対して、上段チルドケース４１ａとは反対側に位置する。この場合、下段チルドケース４１ｂを上段チルドケース４１ａよりも低温に保つことができる。
【０１１２】
（第７の実施形態）
図１６は、第７の実施形態の冷蔵庫１Ｋを示す断面図である。第７の実施形態の冷蔵庫１Ｋは、第１の実施形態の冷蔵庫１と同様に構成されるが、冷蔵庫１Ｋにおいては、製氷用給水タンク室８１ｂおよびチルド室８１ｃとの間の製氷用給水タンク室仕切壁９７が光透過性を有する合成樹脂、ガラス等の部材で形成されており、製氷用給水タンク室仕切壁９７の製氷用給水タンク室８１ｂ側に、第８仕切壁断熱シート３０８が備えられている点が第１実施形態の冷蔵庫１と異なる。本実施形態では、チルド室上面仕切部９６と、製氷用給水タンク室仕切壁９７、第８仕切壁断熱シート３０８とによって、冷蔵室８１の内部を第1貯蔵部と第２貯蔵部とに区画する「区画部材」の一例が構成される。また、製氷用給水タンク室仕切壁９７と、第８仕切壁断熱シート３０８とによって、「側板」の一例が構成される。
【０１１３】
また、製氷用給水タンク室仕切壁９７（チルド室８１ｃの左側の壁）と、右側壁１５の内面（チルド室８１ｃの右側の壁）には、チルドケース４１の前後方向の移動をガイドするレールであるチルド室突起部１３１、１３２がそれぞれ備えられている。
【０１１４】
第８仕切壁断熱シート３０８は、例えば、特定断熱材２０９で形成されており、光透過性を有する接着剤や両面テープで、製氷用給水タンク室仕切壁９７の製氷用給水タンク室８１ｂ側に接着される。第８仕切壁断熱シート３０８は、製氷用給水タンク室仕切壁９７の略全領域を覆う大きさを有する。
【０１１５】
第７の実施形態の冷蔵庫１Ｋによれば、チルド室８１ｃの冷気によって、製氷用給水タンク室８１ｂの製氷用給水タンク５１０内に貯留された水の凍結を抑制することができるので、例えば製氷用給水タンク５１０の下にヒータなどを設ける必要が無くなり、冷蔵庫の低コスト化を図ることができる。更に、ユーザは、光透過性を有する製氷用給水タンク室仕切壁９７および第８仕切壁断熱シート３０８を通して、チルド室８１ｃから製氷用給水タンク室８１ｂの製氷用給水タンク５１０を見ることができる。これにより、製氷用給水タンク室８１ｂの製氷用給水タンク５１０の視認が容易になり、冷蔵庫１Ｋの審美性を向上させることができる。
【０１１６】
尚、第８仕切壁断熱シート３０８は、製氷用給水タンク室仕切壁９７の製氷用給水タンク室８１ｂとは反対側（つまり、製氷用給水タンク室仕切壁９７の、チルド室８１ｃ内に露出する面）に備えられていてもよい。また、第８仕切壁断熱シート３０８は、製氷用給水タンク室仕切壁９７の製氷用給水タンク室８１ｂ側と、製氷用給水タンク室仕切壁９７の製氷用給水タンク室８１ｂとは反対側の両方に備えられていてもよい。
【０１１７】
尚、製氷用給水タンク室仕切壁９７は、特定断熱材２０９で形成されていてもよく、この場合、第８仕切壁断熱シート３０８を張り付けなくとも、製氷用給水タンク室仕切壁９７は断熱性を有する。これにより、上述した効果を得ることができることに加え、チルド室上面仕切部９６ａとチルド室蓋９８の構造を簡易にすることができ、製造工程を簡略化することができる。
【０１１８】
（第８の実施形態）
図１７は、第８の実施形態の冷蔵庫１Ｍを示す断面図である。第８の実施形態の冷蔵庫１Ｍは、第１の実施形態の冷蔵庫１と同様に構成されるが、冷蔵庫１Ｍにおいては、冷気が強く当たる容器の奥側の部分に、仕切壁断熱シートが備えられている点が第１実施形態の冷蔵庫１と異なる。
【０１１９】
第９仕切壁断熱シート３０９と、第１０仕切壁断熱シート３１０と、第１１仕切壁断熱シート３１１とは、例えば、特定断熱材２０９で形成されている。第１野菜室容器４２と、第２野菜室容器４３と、小冷凍室容器４５とのそれぞれは、例えば、光透過性を有する合成樹脂、ガラス等の部材で形成されている。
【０１２０】
第１野菜室容器４２と、第２野菜室容器４３と、小冷凍室容器４５とのそれぞれは、底壁、前壁、後壁、および左右の側壁を有する。第９仕切壁断熱シート３０９と、第１０仕切壁断熱シート３１０と、第１１仕切壁断熱シート３１１とが、図示されるように、第１野菜室容器４２と、第２野菜室容器４３と、小冷凍室容器４５とのそれぞれの容器において、後壁と、底壁の中心よりも後側とに、光透過性を有する接着剤や両面テープで接着されている。第９仕切壁断熱シート３０９と、第１０仕切壁断熱シート３１０と、第１１仕切壁断熱シート３１１とが、張り付けられる場所は特に限定されず、強い冷風があたる箇所に、張り付けられることが好ましい。
【０１２１】
本実施形態では、第１野菜室容器４２および第９仕切壁断熱シート３０９、第２野菜室容器４３および第１０仕切壁断熱シート３１０、小冷凍室容器４５および第１１仕切壁断熱シート３１１により、それぞれ「容器」の一例が構成される。第１野菜室容器４２の後壁と、第９仕切壁断熱シート３０９のなかで上記後壁に取り付けられた部分は、容器において複数の壁部（底壁、前壁、および左右の側壁）のなかで冷気流入口（後側通気口９４ｂ）に最も近くに位置する壁部の一例を構成する。同様に、第２野菜室容器４３の後壁と、第１０仕切壁断熱シート３１０のなかで上記後壁に取り付けられた部分は、容器において複数の壁部（底壁、前壁、および左右の側壁）のなかで冷気流入口（後側通気口９４ｂ）に最も近くに位置する壁部の一例を構成する。同様に、小冷凍室容器４５の後壁と、第１１仕切壁断熱シート３１１のなかで上記後壁に取り付けられた部分は、容器において複数の壁部（底壁、前壁、および左右の側壁）のなかで冷気流入口（冷気吹出口７７）に最も近くに位置する壁部の一例を構成する。
【０１２２】
上記説明したように、野菜室８２には、冷蔵室８１から第１仕切壁９１の後側通気口９４ｂを介して冷気が流入する。そのため、第１野菜室容器４２の背面部と、第２野菜室容器４３の背面部とに低温の冷気が流れ、これらの背面部においては、第１野菜室容器４２と第２野菜室容器４３における背面部以外の位置と比較して、食品がより低温に晒されやすい。また、上記説明したように、冷凍用冷却器７２により生成された冷気が、冷気吹出口７７から小冷凍室８４内に供給されるので、小冷凍室容器４５の背面部に低温の冷気が流れ、この背面部においては、小冷凍室容器４５における背面部以外の位置と比較して、食品がより低温に晒されやすい。
【０１２３】
したがって、第８の実施形態の冷蔵庫１Ｍにおいては、第１野菜室容器４２と、第２野菜室容器４３と、小冷凍室容器４５とのそれぞれの容器において、背面部および底壁部の中心よりも後側に、第９仕切壁断熱シート３０９と、第１０仕切壁断熱シート３１０と、第１１仕切壁断熱シート３１１を、それぞれ接着することにより、これらの背面部の食品を、吹き出された冷気による低温に晒されることを抑制する。
【０１２４】
第８の実施形態の冷蔵庫１Ｍによれば、冷気が強く当たる容器の背面部および底壁部の中心よりも後側に仕切壁断熱シートが貼られているので、野菜室８２や小冷凍室８４において、奥側の食品だけ過度に冷却されてしまうということを抑制することができる。また、第９仕切壁断熱シート３０９と、第１０仕切壁断熱シート３１０と、第１１仕切壁断熱シート３１１は、光を透過するので、視認性や審美性を損なわない。
【０１２５】
（第９の実施形態）
図１８は、第９の実施形態の冷蔵庫１Ｎの断面図である。第９実施形態の冷蔵庫１Ｎは、第８の実施形態の冷蔵庫１Ｍと同様の構成を有するが、第９仕切壁断熱シート３０９と、第１０仕切壁断熱シート３１０と、第１１仕切壁断熱シート３１１との代わりに、各棚や各容器が特定断熱材２０９によって形成される点が、第８の実施形態の冷蔵庫１Ｍと異なる。つまり、冷蔵庫１Ｎにおいては、複数の棚３０、チルドケース４１、第１野菜室容器４２、第２野菜室容器４３、製氷室容器４４、小冷凍室容器４５、第１主冷凍室容器４６、第２主冷凍室容器４７、および製氷用給水タンク５１０の各々の全部または一部は、特定断熱材２０９によって形成される。したがって、第９仕切壁断熱シート３０９と、第１０仕切壁断熱シート３１０と、第１１仕切壁断熱シート３１１とを張り付けなくとも、複数の棚３０と、チルドケース４１と、第１野菜室容器４２と、第２野菜室容器４３と、製氷室容器４４と、小冷凍室容器４５と、第１主冷凍室容器４６と、第２主冷凍室容器４７は、断熱性を有する。
【０１２６】
第９の実施形態の冷蔵庫１Ｎによれば、上述した第８の実施形態の冷蔵庫１Ｍと同様の効果を得ることができることに加え、複数の棚３０と、チルドケース４１と、第１野菜室容器４２と、第２野菜室容器４３と、製氷室容器４４と、小冷凍室容器４５と、第１主冷凍室容器４６と、第２主冷凍室容器４７の構造を簡易にすることができ、製造工程を簡略化することができる。
【０１２７】
以上説明した少なくともひとつの実施形態によれば、冷蔵庫は、筐体と、扉と、内部部品とを持ち、筐体と、扉と、内部部品とのうち少なくとも１つの少なくとも一部は、エアロゲル、キセロゲル、またはクライオゲルを含む光透過性断熱材で形成されているので、利便性の向上を図ることができる。
【０１２８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１２９】
１、１Ａ〜１Ｎ…冷蔵庫、１０…筐体、２０（２１〜２６）…扉、４０（４１〜４７）…容器、８０（８１〜８６）…貯蔵室、９１、９１Ｄ、９１Ｅ…第１仕切壁、９４ｃ…前側通気口、９４ｂ…後側通気口、９５、９５Ｆ、９５Ｇ…第２仕切壁、９６、９６ａ…チルド室上面仕切部、９７…製氷用給水タンク室仕切壁、９８…チルド室蓋、１１２…窓部、２０２、２０２Ａ、２０２Ｂ…前面板、２０９、２０９Ａ、２０９Ｂ…特定断熱材（透明断熱材）、３０１〜３１１…第１〜第１１仕切壁断熱シート、４００…照明部、４０２…発光部、４０４…照明カバー、５１０…製氷用給水タンク
【図１】
2020109338.tif 000003
【図２】
2020109338.tif 000004
【図３】
2020109338.tif 000005
【図４】
2020109338.tif 000006
【図５】
2020109338.tif 000007
【図６】
2020109338.tif 000008
【図７】
2020109338.tif 000009
【図８】
2020109338.tif 000010
【図９】
2020109338.tif 000011
【図１０】
2020109338.tif 000012
【図１１】
2020109338.tif 000013
【図１２】
2020109338.tif 000014
【図１３】
2020109338.tif 000015
【図１４】
2020109338.tif 000016
【図１５】
2020109338.tif 000017
【図１６】
2020109338.tif 000018
【図１７】
2020109338.tif 000019
【図１８】
2020109338.tif 000020